(57)【特許請求の範囲】
【請求項１】
全体として可撓性のチューブ状をなす内視鏡用チューブ状処置具であって、
上記可撓性チューブが単一ルーメンチューブであり、
上記可撓性チューブの先端近傍部分に、上記可撓性チューブを径方向に横断する切削溝が形成されており、上記切削溝は、先端が尖った又は先端が鈍な略Ｖ字状に形成されて、上記可撓性チューブの側壁外面から上記可撓性チューブの半径より深く形成され、
上記可撓性チューブ内に軸線方向に進退自在に操作ワイヤが挿通配置されて、その操作ワイヤの先端が上記切削溝より先側において上記可撓性チューブに対して固定され、
上記操作ワイヤが上記可撓性チューブの基端側から牽引操作されると、上記可撓性チューブの先端部分が上記切削溝位置において上記切削溝を閉じる方向に屈曲し、上記操作ワイヤが上記可撓性チューブの基端側から押し込み操作されると、上記操作ワイヤが上記切削溝間の空間で上記切削溝の開口方向に膨らむ状態に変形しつつ、上記可撓性チューブの先端部分が上記切削溝位置において上記切削溝を開く方向に屈曲することを特徴とする内視鏡用チューブ状処置具。
【請求項２】
上記可撓性チューブの先端に組織採取部材が取り付けられている請求項１記載の内視鏡用チューブ状処置具。
【発明の詳細な説明】
【０００１】
【発明の属する技術分野】
この発明は、内視鏡の処置具挿通チャンネルに挿通して使用される内視鏡用チューブ状処置具に関する。
【０００２】
【従来の技術】
内視鏡用チューブ状処置具の代表的なものとして、造影剤を注入するための造影チューブがあるが、従来の内視鏡用造影チューブは、全体として一本の四フッ化エチレン樹脂等の可撓性チューブによって形成されていて、その手元側に注入口金が取り付けられている。また、可撓性チューブの先端に先端チップ等が取り付けられたものや、腰折れ防止のために芯金が挿通配置されたもの等もある。
【０００３】
【発明が解決しようとする課題】
内視鏡用チューブ状処置具は、内視鏡の処置具挿通チャンネルに挿通して使用されるが、内視鏡から突出された先端部分の向きを自由にコントロールすることができない。
【０００４】
そこで従来は、可撓性チューブの先端部分に予め所望の曲がり癖を形成するようなことをしていたが、例えば胆管や気管支の深部等にある目標とする分岐管にチューブ状処置具の先端を挿入するのは非常に困難であった。
【０００５】
そこで本発明は、手元側からの操作によって先端の向きを任意に変えて、胆管や気管支の深部等にある目標とする分岐管へ挿入することができる内視鏡用チューブ状処置具を提供することを目的とする。
【０００６】
【課題を解決するための手段】
上記の目的を達成するため、本発明の内視鏡用チューブ状処置具は、全体として可撓性のチューブ状をなす内視鏡用チューブ状処置具において、可撓性チューブの先端近傍部分に、可撓性チューブを径方向に横断する切削溝を形成すると共に、可撓性チューブ内に軸線方向に進退自在に操作ワイヤを挿通配置し、その操作ワイヤの先端を切削溝より先側において可撓性チューブに対して固定したものである。
【０００７】
なお、切削溝の断面形状が略Ｖ字状であると、可撓性チューブがスムーズに屈曲する。また、可撓性チューブの先端に組織採取部材が取り付けられていてもよい。
【０００８】
【発明の実施の形態】
図面を参照して本発明の実施例を説明する。
図１は、本発明の第１の実施例の内視鏡用チューブ状処置具を示している。
【０００９】
１は、図示されていない内視鏡の処置具挿通チャンネルに挿脱される可撓性チューブであり、外径が１．５〜２．５ｍｍ程度で長さが１〜２ｍ程度の四フッ化エチレン樹脂チューブ又はポリエチレン樹脂チューブ等が用いられる。
【００１０】
可撓性チューブ１の先端近傍部分には、可撓性チューブ１を径方向に横断する略Ｖ字状の断面形状の切削溝３が形成されている。また、可撓性チューブ１内には、例えばステンレス鋼製撚り線によって形成された操作ワイヤ２が、軸線方向に進退自在に全長にわたって挿通配置されている。
【００１１】
可撓性チューブ１の先端には、軸線方向に貫通孔を有する金属製の先端チップ４が固定されている。そして、操作ワイヤ２の先端が先端チップ４の内周面に銀ロー付け等によって固着され、それによって操作ワイヤ２の先端が可撓性チューブ１の先端部分に対して固定された状態になっている。
【００１２】
可撓性チューブ１の基端（手元側端部）に連結された操作部１０においては、可撓性チューブ１の基端が接続固定された本体筒１１の側部に接続筒１２が突出形成されていて、図示されていない注射器等を接続筒１２に接続することにより、可撓性チューブ１を介して造影剤やその他の液体を送出することができ、或いは可撓性チューブ１を通して吸引をすることができる。
【００１３】
操作ワイヤ２は、本体筒１１内を真っ直ぐに後方に通過してその突端に指掛け１４が連結されており、本体筒１１から指掛け１４に至る部分においては、操作ワイヤ２に腰折れ防止のためのステンレス鋼管製の補強パイプ１５が被覆されている。
【００１４】
したがって、本体筒１１に対して指掛け１４を進退操作することにより、操作ワイヤ２が可撓性チューブ１内で軸線方向に進退する。１３は、本体筒１１内と指掛け１４側の空間との間をシールするために、補強パイプ１５の外周面に密接する状態に配置されたＯリングである。
【００１５】
このように構成された実施例の内視鏡用チューブ状処置具においては、指掛け１４により操作ワイヤ２を牽引する操作を行うと、図２に示されるように、可撓性チューブ１の先端部分が切削溝３において切削溝３側に屈曲する。その最大屈曲角度は、切削溝３の形状によって任意に設定することができる。
【００１６】
そして、操作ワイヤ２を手元側から押し込む操作を行うと、可撓性チューブ１の先端部分が元の真っ直ぐな状態に戻り、その状態からさらに操作ワイヤ２を押し込めば、図３に示されるように、可撓性チューブ１の先端部分が切削溝３において切削溝３の裏側方向に屈曲する。
【００１７】
したがって、この実施例の内視鏡用チューブ状処置具を用いることにより、図４に例示されるように、内視鏡５０の処置具挿通チャンネル５１から突出させた可撓性チューブ１の先端（先端チップ４）を屈曲させて、胆管や気管支の深部等にある目標とする分岐管に挿入することが可能である。その際には、内視鏡５０による観察はできないので、可撓性チューブ１を通じて造影剤を送り出しながらＸ線透視下に行えばよい。
【００１８】
なお、本発明は上記実施例に限定されるものではなく、例えば操作ワイヤ２の先端固定には各種の実施態様があり、図５に示されるように、ハート形状に形成された先端チップ４′の外面凹部に操作ワイヤ２の先端を固着して、先端チップ４′を可撓性チューブ１の先端内に圧入固定するようにしてもよい。
【００１９】
また、切削溝３の形状にも各種の実施態様があり、例えば図６に示されるように、Ｖ字状の突端部分に幅をもたせれば屈曲が容易になり、図７に示されるように、Ｖ字状の先端寄り側の斜面を大きく傾斜させれば、処置具挿通チャンネル５１内に可撓性チューブ１を引き込む動作の際に、処置具挿通チャンネル５１の出口開口部に切削溝３が引っ掛かり難くなる。
【００２０】
また、例えば図８及び図９に示されるように、先端チップ４部分に、鋭匙４Ａ又はブラシ４Ｂ等のような組織採取部材を取り付けることにより、胆管や気管支の深部等にある目標とする分岐管等から経内視鏡的に組織採取を行うことができる。
【００２１】
この場合にも、接続筒１２から造影剤を注入しながら可撓性チューブ１を誘導することにより、内視鏡で直接観察不能な位置の深部管路に対してＸ線透視像を見ながら挿入することができる。
【００２２】
そして、組織採取を行うための内視鏡用処置具は一般に直線保持性の強い金属製のコイルをシースとしているが、このようにシースとして可撓性チューブ１を用いることにより胆管や気管支等のカーブに沿って挿入し易くなり、さらに本発明の適用により深部への選択的挿入が容易となる。
【００２３】
【発明の効果】
本発明によれば、操作ワイヤを手元側から進退操作することによって、可撓性チューブの先端を所定の方向に屈曲させることができるので、チューブ状処置具の先端を胆管や気管支の深部等にある目標とする分岐管の奥まで挿入することができる。
【図面の簡単な説明】
【図１】本発明の第１の実施例の内視鏡用チューブ状処置具の全体構成を示す側面断面図である。
【図２】本発明の第１の実施例の内視鏡用チューブ状処置具の先端部分が屈曲した状態の側面断面図である。
【図３】本発明の第１の実施例の内視鏡用チューブ状処置具の先端部分が逆側に屈曲した状態の側面断面図である。
【図４】本発明の第１の実施例の内視鏡用チューブ状処置具の使用状態を示す略示図である。図である。
【図５】本発明の第２の実施例の内視鏡用チューブ状処置具の操作ワイヤ先端の固定構造を示す部分斜視図である。
【図６】本発明の第３の実施例の内視鏡用チューブ状処置具の切削溝を示す側面図である。
【図７】本発明の第４の実施例の内視鏡用チューブ状処置具の切削溝を示す側面図である。
【図８】本発明の第５の実施例の内視鏡用チューブ状処置具の先端に鋭匙が取り付けられた例の先端部分の側面断面図である。
【図９】本発明の第６の実施例の内視鏡用チューブ状処置具の先端にブラシが取り付けられた例の先端部分の側面断面図である。
【符号の説明】
１  可撓性チューブ
２  操作ワイヤ
３  切削溝
４  先端チップ
４Ａ  鋭匙
４Ｂ  ブラシ
１０  操作部
１１  本体筒
１２  接続筒
１４  指掛け
【図１】
0004786807.tif 000002
【図２】
0004786807.tif 000003
【図３】
0004786807.tif 000004
【図４】
0004786807.tif 000005
【図５】
0004786807.tif 000006
【図６】
0004786807.tif 000007
【図７】
0004786807.tif 000008
【図８】
0004786807.tif 000009
【図９】
0004786807.tif 000010